(57)【要約】【課題】  既存文書の優れたデザイン、内容等を再利用して新規の文書を容易に生成することが可能な文書編集システム、文書編集プログラム及び文書編集方法を提供する。【解決手段】  第１文書１０１が記録されている文書記録媒体を走査して、第１文書１０１の画像情報を取得し、取得した画像情報よりテンプレート情報を抽出する。次に、第２文書１０３が記録されている文書記録媒体を走査して、第２文書１０３の画像情報を取得し、取得した画像情報よりコンテンツ情報を抽出する。最後に、第１文書１０１より抽出したテンプレート情報と、第２文書１０３より抽出したコンテンツ情報とを合成して、合成文書１０９を生成する。【選択図】  図１
2005128925.tif 000002
【特許請求の範囲】
【請求項１】
文書のコンテンツ情報とテンプレート情報とを合成する文書編集システムであって、
第１の文書の画像情報と第２の文書の画像情報とを取得する画像情報取得手段と、
前記画像情報取得手段によって取得した前記第１の文書の画像情報から、前記テンプレート情報を抽出するテンプレート情報抽出手段と、
前記画像情報取得手段によって取得した前記第２の文書の画像情報から、前記コンテンツ情報を抽出するコンテンツ情報抽出手段と、
前記テンプレート情報抽出手段によって抽出された前記テンプレート情報に基づいて、前記コンテンツ情報抽出手段によって抽出された前記コンテンツ情報をレイアウトした合成文書を生成する文書合成手段と、
前記文書合成手段によって生成された前記合成文書を出力する合成文書出力手段と、
を備えていることを特徴とする文書編集システム。
【請求項２】
前記画像情報取得手段は、
前記第１の文書が記録されている第１の文書記録媒体及び前記第２の文書が記録されている第２の文書記録媒体を走査して、前記第１の文書の画像情報及び前記第２の文書の画像情報を読み取る画像情報読み取り手段を備えていることを特徴とする請求項１に記載の文書編集システム。
【請求項３】
前記画像情報読み取り手段は、
前記第１の文書が記録されている第１の文書記録媒体及び前記第２の文書が記録されている第２の文書記録媒体を自動的に取り込む自動取り込み手段を備えていることを特徴とする請求項２に記載の文書編集システム。
【請求項４】
前記画像情報読み取り手段は、
前記テンプレート情報を抽出するための前記第１の文書が記録されている第１文書記録媒体を自動的に取り込む第１の自動取り込み手段と、
前記コンテンツ情報を抽出するための前記第２の文書が記録されている第２の文書記録媒体を自動的に取り込む第２の自動取り込み手段と、
を備えていることを特徴とする請求項２に記載の文書編集システム。
【請求項５】
前記画像情報取得手段は、
前記文書の画像情報が記憶されている情報記憶媒体から前記画像情報を入力する手段、及び、ネットワークを介して通信可能に接続された前記文書の画像情報が保存されているシステム又は装置から前記画像情報を入力する手段の少なくとも１つの手段を備えていることを特徴とする請求項１から４のいずれか１項に記載の文書編集システム。
【請求項６】
前記画像情報取得手段によって取得した前記画像情報から、前記テンプレート情報を抽出するモード、前記コンテンツ情報を抽出するモード、及び前記テンプレート情報及び前記コンテンツ情報を抽出するモードの中のいずれか１つモードを設定する抽出モード設定手段を、更に備え、
前記テンプレート情報を抽出するモードが設定されたときに、前記テンプレート情報抽出手段は前記テンプレート情報を抽出し、
前記コンテンツ情報を抽出するモードが設定されたときに、前記コンテンツ情報抽出手段は前記コンテンツ情報を抽出し、
前記テンプレート情報及び前記コンテンツ情報を抽出するモードが設定されたときに、前記テンプレート情報抽出手段は前記テンプレート情報を抽出し、更に前記コンテンツ情報抽出手段は前記コンテンツ情報を抽出することを特徴とする請求項１から５のいずれか１項に記載の文書編集システム。
【請求項７】
前記画像情報取得手段によって取得した前記画像情報より前記テンプレート情報及び前記コンテンツ情報の少なくとも１つの情報を抽出するための抽出ルールを設定する抽出ルール設定手段を、更に備え、
前記抽出ルールに基づいて、前記テンプレート情報抽出手段は前記テンプレート情報を抽出し、前記コンテンツ情報抽出手段は前記コンテンツ情報を抽出することを特徴とする請求項１から６のいずれか１項に記載の文書編集システム。
【請求項８】
前記テンプレート情報抽出手段によって抽出した前記テンプレート情報を記憶部に格納するテンプレート情報格納手段と、
前記記憶部に格納されている複数の前記テンプレート情報の中から、前記合成文書の生成に利用する前記テンプレート情報を取得するテンプレート情報取得手段と、を更に備え、
前記文書合成手段は、前記テンプレート情報取得手段によって取得された前記テンプレート情報を利用して前記合成文書を生成することを特徴とする請求項１から７のいずれか１項に記載の文書編集システム。
【請求項９】
前記テンプレート情報取得手段は、
ユーザによって前記記憶部に格納されている複数の前記テンプレート情報の中から選択された前記テンプレート情報を、前記合成文書の生成に利用する前記テンプレート情報として取得することを特徴とする請求項８に記載の文書編集システム。
【請求項１０】
前記テンプレート情報取得手段は、
前記合成文書の生成に利用する前記コンテンツ情報に基づいて、前記記憶部に格納されている複数の前記テンプレート情報の中から、前記合成文書の生成に利用する前記テンプレート情報を検索することを特徴とする請求項８に記載の文書編集システム。
【請求項１１】
前記コンテンツ情報抽出手段によって抽出した前記コンテンツ情報を記憶部に格納するコンテンツ情報格納手段と、
前記記憶部に格納されている複数の前記コンテンツ情報の中から、前記合成文書の生成に利用する前記コンテンツ情報を取得するコンテンツ情報取得手段と、を更に備え、
前記文書合成手段は、前記コンテンツ情報取得手段によって取得された前記コンテンツ情報を利用して前記合成文書を生成することを特徴とする請求項１から１０のいずれか１項に記載の文書編集システム。
【請求項１２】
前記コンテンツ情報取得手段は、
ユーザによって前記記憶部に格納されている複数の前記コンテンツ情報の中から選択された前記コンテンツ情報を、前記合成文書の生成に利用する前記コンテンツ情報として取得することを特徴とする請求項１１に記載の文書編集システム。
【請求項１３】
前記コンテンツ情報取得手段は、
前記合成文書の生成に利用する前記テンプレート情報に基づいて、前記記憶部に格納されている複数の前記コンテンツ情報の中から、前記合成文書の生成に利用する前記コンテンツ情報を検索することを特徴とする請求項１１に記載の文書編集システム。
【請求項１４】
前記合成文書出力手段によって出力された前記合成文書の画像情報に基づいて印刷を実行する印刷手段、を更に備えていることを特徴とする請求項１から１３のいずれか１項に記載の文書編集システム。
【請求項１５】
文書のコンテンツ情報とテンプレート情報とを合成する処理をコンピュータに実行させるプログラムであって、
第１の文書の画像情報と第２の文書の画像情報とを取得する画像情報取得手段と、
前記画像情報取得手段によって取得した前記第１の文書の画像情報から、前記テンプレート情報を抽出するテンプレート情報抽出手段と、
前記画像情報取得手段によって取得した前記第２の文書の画像情報から、前記コンテンツ情報を抽出するコンテンツ情報抽出手段と、
前記テンプレート情報抽出手段によって抽出された前記テンプレート情報に基づいて、前記コンテンツ情報抽出手段によって抽出された前記コンテンツ情報をレイアウトした合成文書を生成する文書合成手段と、
前記文書合成手段によって生成された前記合成文書を出力する合成文書出力手段と、
を実現させる処理を前記コンピュータに実行させるためのプログラムであることを特徴とする文書編集プログラム。
【請求項１６】
文書のコンテンツ情報とテンプレート情報とを合成する文書編集方法であって、
第１の文書の画像情報と第２の文書の画像情報とを取得する画像情報取得工程と、
前記画像情報取得工程によって取得した前記第１の文書の画像情報から、前記テンプレート情報を抽出するテンプレート情報抽出工程と、
前記画像情報取得工程によって取得した前記第２の文書の画像情報から、前記コンテンツ情報を抽出するコンテンツ情報抽出工程と、
前記テンプレート情報抽出工程によって抽出された前記テンプレート情報に基づいて、前記コンテンツ情報抽出工程によって抽出された前記コンテンツ情報をレイアウトした合成文書を生成する文書合成工程と、
前記文書合成工程によって生成された前記合成文書を出力する合成文書出力工程と、
を備えていることを特徴とする文書編集方法。
【発明の詳細な説明】
【技術分野】
【０００１】
本発明は、文書編集システム、文書編集プログラム及び文書編集方法に関する。特に、既存文書の優れたデザイン、内容等を再利用して新規の文書を容易に生成することが可能な文書編集システム、文書編集プログラム及び文書編集方法に関する。
【背景技術】
【０００２】
従来から、既存文書の文字、図版等をバランス良く配置するために、高度にデザインされた配置の情報を利用したいという要求があり、市販されているテンプレート集等を利用して新規の文書を生成する装置、システム等が提案されている。また、一方で、文字、図版等の配置を考慮して、既存文書を電子化して管理する装置、システム等も提案されている。
【０００３】
特許文献１の発明では、既存文書の内容を再利用して新規の文書を生成するために、文書における文字、図版等の領域の配置を示すテンプレート情報を予め用意しておき、文書の内容を示すコンテンツ情報の必要な部分を既存文書より読み取り、読み取った必要な部分のコンテンツ情報を予め用意していたテンプレート情報に基づいてレイアウトする装置が提案されている。
【０００４】
また、特許文献２及び特許文献３の発明では、既存文書を電子化して管理するために、既存文書の画像情報から文字、図版等の領域を認識し、抽出する装置が提案されている。
【特許文献１】特開平６−１８７３３３号公報
【特許文献２】特公昭６１−３２７１２号公報
【特許文献３】特開平５−１５９１０１号公報
【発明の開示】
【発明が解決しようとする課題】
【０００５】
しかしながら、特許文献１の発明では、ユーザが再利用したい既存の文書のコンテンツ情報を、ユーザが再利用したい雑誌、広告チラシ等の既存の文書のテンプレート情報に基づいてレイアウトすることはできなかった。また、ユーザが利用したいテンプレート情報を生成するには、時間もコストもかかってしまうという問題点もあった。
また、特許文献２及び特許文献３の発明では、既存文書の画像情報から文字、図版等の領域を抽出することによって、文字、図版等の配置であるテンプレート情報を考慮して、既存の文書を管理するだけで、既存の文書のテンプレート情報を再利用することはできなかった。
【０００６】
本発明は、以上のような問題点を解決するためになされたもので、既存文書の優れたデザイン、内容等を再利用して新規の文書を容易に生成することが可能な文書編集システム、文書編集プログラム及び文書編集方法を提供することを目的とする。
【課題を解決するための手段】
【０００７】
上述した従来の問題点を解決すべく下記の発明を提供する。
〔発明１〕  発明１は、文書のコンテンツ情報とテンプレート情報とを合成する文書編集システムであって、第１の文書の画像情報と第２の文書の画像情報とを取得する画像情報取得手段と、前記画像情報取得手段によって取得した前記第１の文書の画像情報から、前記テンプレート情報を抽出するテンプレート情報抽出手段と、前記画像情報取得手段によって取得した前記第２の文書の画像情報から、前記コンテンツ情報を抽出するコンテンツ情報抽出手段と、前記テンプレート情報抽出手段によって抽出された前記テンプレート情報に基づいて、前記コンテンツ情報抽出手段によって抽出された前記コンテンツ情報をレイアウトした合成文書を生成する文書合成手段と、前記文書合成手段によって生成された前記合成文書を出力する合成文書出力手段と、を備えていることを特徴とする文書編集システムである。
【０００８】
このような構成であれば、画像情報取得手段によって、第１の文書の画像情報と第２の文書の画像情報とが取得され、テンプレート情報抽出手段によって、画像情報取得手段によって取得した第１の文書の画像情報からテンプレート情報が抽出され、コンテンツ情報抽出手段によって、画像情報取得手段によって取得した第２の文書の画像情報からコンテンツ情報が抽出される。また、文書合成手段によって、テンプレート情報抽出手段によって抽出されたテンプレート情報に基づいて、コンテンツ情報抽出手段によって抽出されたコンテンツ情報をレイアウトした合成文書が生成され、合成文書出力手段によって、文書合成手段によって生成された合成文書が出力される。
【０００９】
これにより、既存文書の優れたデザイン、内容等を再利用した新規の文書を比較的容易に生成することが可能である。即ち、ユーザが再利用したい既存の文書のテンプレート情報と、ユーザが再利用したい既存の文書のコンテンツ情報とを比較的容易に合成することが可能である。
ここで、文書には、写真画像情報、グラフィック画像情報、文字情報等が含まれ、文書は、それらの情報が印刷された印刷物、それらの情報が電子的に管理されたファイル等である。
【００１０】
〔発明２〕  発明２は、発明１において、前記画像情報取得手段は、前記第１の文書が記録されている第１の文書記録媒体及び前記第２の文書が記録されている第２の文書記録媒体を走査して、前記第１の文書の画像情報及び前記第２の文書の画像情報を読み取る画像情報読み取り手段を備えていることを特徴とする文書編集システムである。
このような構成であれば、画像情報読み取り手段によって、前記第１の文書を記録した第１の文書記録媒体及び前記第２の文書を記録した第２の文書記録媒体が走査され、第１の文書の画像情報及び第２の文書の画像情報が読み取られる。
【００１１】
これにより、比較的簡単なユーザの操作により、既存文書の優れたデザイン、内容等を再利用した新規の文書を生成することが可能である。ここで、比較的簡単なユーザの操作とは、例えば、複合機、コピー機等におけるユーザの操作に類似した操作である。
また、文書記録媒体とは、紙、フィルム、生地、布、皮（革）、プラスチック、鉄板、板、木板、樹脂等であり、記録とは、印刷、手書き等である。
【００１２】
〔発明３〕  発明３は、発明２において、前記画像情報読み取り手段は、前記第１の文書が記録されている第１の文書記録媒体及び前記第２の文書が記録されている第２の文書記録媒体を自動的に取り込む自動取り込み手段を備えていることを特徴とする文書編集システムである。
このような構成であれば、自動取り込み手段によって、第１の文書が記録されている第１の文書記録媒体及び第２の文書が記録されている第２の文書記録媒体が自動的に取り込まれる。
【００１３】
これにより、大量の文書の画像情報を比較的容易に、更に比較的迅速に取得することが可能である。
〔発明４〕  発明４は、発明２において、前記画像情報読み取り手段は、前記テンプレート情報を抽出するための前記第１の文書が記録されている第１の文書記録媒体を自動的に取り込む第１の自動取り込み手段と、前記コンテンツ情報を抽出するための前記第２の文書が記録されている第２の文書記録媒体を自動的に取り込む第２の自動取り込み手段と、を備えていることを特徴とする文書編集システムである。
【００１４】
このような構成であれば、第１の自動取り込み手段によって、テンプレート情報を抽出するための第１の文書を記録した第１の文書記録媒体が自動的に取り込まれ、第２の自動取り込み手段によって、コンテンツ情報を抽出するための第２の文書を記録した第２の文書記録媒体が自動的に取り込まれる。
これにより、テンプレート情報を抽出する文書の画像情報と、コンテンツ情報を抽出する文書の画像情報とを、明確に区別して取得することが可能である。また、テンプレート情報を抽出した文書と、コンテンツ情報を抽出したい文書とを、明示した操作をユーザが実行することが可能である。
【００１５】
〔発明５〕  発明５は、発明１から４のいずれか１つにおいて、前記画像情報取得手段は、前記文書の画像情報が記憶されている情報記憶媒体から前記画像情報を入力する手段、及び、ネットワークを介して通信可能に接続された前記文書の画像情報が保存されているシステム又は装置から前記画像情報を入力する手段の少なくとも１つの手段を備えていることを特徴とする文書編集システムである。
【００１６】
このような構成であれば、画像情報取得手段によって、文書の画像情報が記憶されている情報記憶媒体から画像情報が入力される。また、ネットワークを介して通信可能に接続された文書の画像情報が保存されているシステム又は装置から画像情報が入力される。
これにより、電子ファイリングシステム等により、既に電子化されている文書をシステムから直接、又は、情報記憶媒体を介して取得して再利用することが可能である。
【００１７】
〔発明６〕  発明６は、発明１から５のいずれか１つにおいて、前記画像情報取得手段によって取得した前記画像情報から、前記テンプレート情報を抽出するモード、前記コンテンツ情報を抽出するモード、及び前記テンプレート情報及び前記コンテンツ情報を抽出するモードの中のいずれか１つモードを設定する抽出モード設定手段を、更に備え、前記テンプレート情報を抽出するモードが設定されたときに、前記テンプレート情報抽出手段は前記テンプレート情報を抽出し、前記コンテンツ情報を抽出するモードが設定されたときに、前記コンテンツ情報抽出手段は前記コンテンツ情報を抽出し、前記テンプレート情報及び前記コンテンツ情報を抽出するモードが設定されたときに、前記テンプレート情報抽出手段は前記テンプレート情報を抽出し、更に前記コンテンツ情報抽出手段は前記コンテンツ情報を抽出することを特徴とする文書編集システムである。
【００１８】
このような構成であれば、抽出モード設定手段によって、画像情報取得手段によって取得した画像情報から、テンプレート情報を抽出するモード、コンテンツ情報を抽出するモード、又はテンプレート情報及びコンテンツ情報を抽出するモードのいずれか１つモードが設定され、テンプレート情報を抽出するモードが設定されたときに、テンプレート情報抽出手段によってテンプレート情報が抽出され、コンテンツ情報を抽出するモードが設定されたときに、コンテンツ情報抽出手段によってコンテンツ情報が抽出され、テンプレート情報及びコンテンツ情報を抽出するモードが設定されたときに、テンプレート情報抽出手段によってテンプレート情報が抽出され、更にコンテンツ情報抽出手段によってコンテンツ情報が抽出される。
【００１９】
これにより、例えば、１つの自動取り込み手段によって取り込まれる文書が、テンプレート情報を抽出する文書であるか、コンテンツ情報を抽出する文書であるか、又は、テンプレート情報及びコンテンツ情報を抽出する文書であるかを、明確にすることが可能である。また、文書からテンプレート情報を抽出するか、コンテンツ情報を抽出するか、又は、テンプレート情報及びコンテンツ情報を抽出するかを、明示した操作をユーザが実行することが可能である。
【００２０】
〔発明７〕  発明７は、発明１から６のいずれか１つにおいて、前記画像情報取得手段によって取得した前記画像情報より前記テンプレート情報及び前記コンテンツ情報の少なくとも１つの情報を抽出するための抽出ルールを設定する抽出ルール設定手段を、更に備え、前記抽出ルールに基づいて、前記テンプレート情報抽出手段は前記テンプレート情報を抽出し、前記コンテンツ情報抽出手段は前記コンテンツ情報を抽出することを特徴とする文書編集システムである。
【００２１】
このような構成であれば、抽出ルール設定手段によって、画像情報取得手段によって取得した画像情報よりテンプレート情報及びコンテンツ情報の少なくとも１つの情報を抽出するための抽出ルールが設定され、設定された抽出ルールに基づいて、テンプレート情報抽出手段によってテンプレート情報が抽出し、コンテンツ情報抽出手段によってコンテンツ情報が抽出される。
【００２２】
これにより、文書よりテンプレート情報を抽出するか、コンテンツ情報を抽出するか、又は、テンプレート情報及びコンテンツ情報を抽出するかを指定する操作を、ユーザが実行することなく、大量の文書からユーザが再利用したいテンプレート情報及びコンテンツ情報の少なくとも１つの情報を抽出することが可能である。
〔発明８〕  発明８は、発明１から７のいずれか１つにおいて、前記テンプレート情報抽出手段によって抽出した前記テンプレート情報を記憶部に格納するテンプレート情報格納手段と、前記記憶部に格納されている複数の前記テンプレート情報の中から、前記合成文書の生成に利用する前記テンプレート情報を取得するテンプレート情報取得手段と、を更に備え、前記文書合成手段は、前記テンプレート情報取得手段によって取得された前記テンプレート情報を利用して前記合成文書を生成することを特徴とする文書編集システムである。
【００２３】
このような構成であれば、テンプレート情報格納手段によって、テンプレート情報抽出手段によって抽出したテンプレート情報が記憶部に格納され、テンプレート情報取得手段によって、記憶部に格納されている複数のテンプレート情報の中から、合成文書の生成に利用するテンプレート情報が取得される。
これにより、ユーザがテンプレート情報を再利用する可能性のある文書であると認識したときに、その文書のテンプレート情報を抽出し、蓄積しておくことが可能である。また、蓄積してある複数のテンプレート情報の中から取得した、ユーザが所望のテンプレート情報を再利用することが可能である。
【００２４】
〔発明９〕  発明９は、発明８において、前記テンプレート情報取得手段は、ユーザによって前記記憶部に格納されている複数の前記テンプレート情報の中から選択された前記テンプレート情報を、前記合成文書の生成に利用する前記テンプレート情報として取得することを特徴とする文書編集システムである。
これにより、ユーザが選択した所望のテンプレート情報を再利用した新規の文書を生成することが可能である。
【００２５】
〔発明１０〕  発明１０は、発明８において、前記テンプレート情報取得手段は、前記合成文書の生成に利用する前記コンテンツ情報に基づいて、前記記憶部に格納されている複数の前記テンプレート情報の中から、前記合成文書の生成に利用する前記テンプレート情報を検索することを特徴とする文書編集システムである。
これにより、複数のテンプレート情報の中から、コンテンツ情報に比較的最適なテンプレート情報を検索することが可能である。また、ユーザによるテンプレート情報の選択操作作業を削減することが可能である。
【００２６】
〔発明１１〕  発明１１は、発明１から１０のいずれか１つにおいて、前記コンテンツ情報抽出手段によって抽出した前記コンテンツ情報を記憶部に格納するコンテンツ情報格納手段と、前記記憶部に格納されている複数の前記コンテンツ情報の中から、前記合成文書の生成に利用する前記コンテンツ情報を取得するコンテンツ情報取得手段と、を更に備え、前記文書合成手段は、前記コンテンツ情報取得手段によって取得された前記コンテンツ情報を利用して前記合成文書を生成することを特徴とする文書編集システムである。
【００２７】
このような構成であれば、コンテンツ情報格納手段によって、コンテンツ情報抽出手段によって抽出したコンテンツ情報が記憶部に格納され、コンテンツ情報取得手段によって、記憶部に格納されている複数のコンテンツ情報の中から、合成文書の生成に利用するコンテンツ情報が取得される。
これにより、ユーザがコンテンツ情報を再利用する可能性のある文書であると認識したときに、その文書のコンテンツ情報を抽出し、蓄積しておくことが可能である。また、蓄積してある複数のコンテンツ情報の中から取得した、ユーザが所望のコンテンツ情報を再利用することが可能である。
【００２８】
〔発明１２〕  発明１２は、発明１１おいて、前記コンテンツ情報取得手段は、ユーザによって前記記憶部に格納されている複数の前記コンテンツ情報の中から選択された前記コンテンツ情報を、前記合成文書の生成に利用する前記コンテンツ情報として取得することを特徴とする文書編集システムである。
これにより、ユーザが選択した所望のコンテンツ情報を再利用した新規の文書を生成することが可能である。
【００２９】
〔発明１３〕  発明１３は、発明１１において、前記コンテンツ情報取得手段は、前記合成文書の生成に利用する前記テンプレート情報に基づいて、前記記憶部に格納されている複数の前記コンテンツ情報の中から、前記合成文書の生成に利用する前記コンテンツ情報を検索することを特徴とする文書編集システムである。
これにより、複数のコンテンツ情報の中から、テンプレート情報に比較的最適なコンテンツ情報を検索することが可能である。また、ユーザによるコンテンツ情報の選択操作作業を削減することが可能である。
【００３０】
〔発明１４〕  発明１４は、発明１から１３のいずれか１つにおいて、前記合成文書出力手段によって出力された前記合成文書の画像情報に基づいて印刷を実行する印刷手段、を更に備えていることを特徴とする文書編集システムである。
このような構成であれば、印刷手段によって、合成文書出力手段によって出力された合成文書の画像情報に基づいて印刷が実行される。
【００３１】
これにより、比較的簡単なユーザの操作により、既存文書の優れたデザイン、内容等を再利用した新規の文書を印刷することが可能である。即ち、例えば、コピー機のように、ユーザは、所望のコンテンツ情報を所望のテンプレート情報に基づいてレイアウトした文書の印刷物を比較的簡単に、更に比較的迅速に入手することが可能である。
〔発明１５〕  発明１５は、文書のコンテンツ情報とテンプレート情報とを合成する処理をコンピュータに実行させるプログラムであって、第１の文書の画像情報と第２の文書の画像情報とを取得する画像情報取得手段と、前記画像情報取得手段によって取得した前記第１の文書の画像情報から、前記テンプレート情報を抽出するテンプレート情報抽出手段と、前記画像情報取得手段によって取得した前記第２の文書の画像情報から、前記コンテンツ情報を抽出するコンテンツ情報抽出手段と、前記テンプレート情報抽出手段によって抽出された前記テンプレート情報に基づいて、前記コンテンツ情報抽出手段によって抽出された前記コンテンツ情報をレイアウトした合成文書を生成する文書合成手段と、前記文書合成手段によって生成された前記合成文書を出力する合成文書出力手段と、を実現させる処理を前記コンピュータに実行させるためのプログラムであることを特徴とする文書編集プログラムである。
【００３２】
このような構成であれば、コンピュータによってプログラムが読み取られ、読み取られたプログラムによって、コンピュータが処理を実行すると、発明１に記載の文書編集システムと同等の作用及び効果が得られる。
〔発明１６〕  発明１６は、文書のコンテンツ情報とテンプレート情報とを合成する文書編集方法であって、第１の文書の画像情報と第２の文書の画像情報とを取得する画像情報取得工程と、前記画像情報取得工程によって取得した前記第１の文書の画像情報から、前記テンプレート情報を抽出するテンプレート情報抽出工程と、前記画像情報取得工程によって取得した前記第２の文書の画像情報から、前記コンテンツ情報を抽出するコンテンツ情報抽出工程と、前記テンプレート情報抽出工程によって抽出された前記テンプレート情報に基づいて、前記コンテンツ情報抽出工程によって抽出された前記コンテンツ情報をレイアウトした合成文書を生成する文書合成工程と、前記文書合成工程によって生成された前記合成文書を出力する合成文書出力工程と、を備えていることを特徴とする文書編集方法である。
【００３３】
これにより、発明１に記載の文書編集システムと同等の効果が得られる。
【発明を実施するための最良の形態】
【００３４】
この発明の実施の態様を、図面を参照しながら説明する。
図１は、本発明の文書編集処理の概念図である。
図１に示すように、テンプレート情報を再利用したい文書を第１文書１０１とし、コンテンツ情報を再利用したい文書を第２文書１０３とする。また、第１文書１０１及び第２文書１０３を、文字、図版等の領域に分割し、各領域の配置を示したそれそれの画像が、画像１０５及び画像１０７であるとする。
【００３５】
まず、第１文書１０１が記録されている文書記録媒体を走査（スキャン）して、第１文書１０１の画像情報を取得し、取得した画像情報よりテンプレート情報を抽出する。即ち、画像１０５に示すような文字、図版等の領域（図１では、タイトル１領域、本文１領域及び写真１領域）の配置を示すテンプレート情報を抽出する。次に、第２文書１０３が記録されている文書記録媒体を走査して、第２文書１０３の画像情報を取得し、取得した画像情報よりコンテンツ情報を抽出する。即ち、画像１０７に示すような文字、図版等の領域（図１では、タイトル２領域、本文２領域及び写真２領域）の内容を示すコンテンツ情報を抽出する。ここで、テンプレート情報の抽出処理及びコンテンツ情報の抽出処理の順番は、どちらが先に処理されても良い。
【００３６】
最後に、第１文書１０１より抽出したテンプレート情報と、第２文書１０３より抽出したコンテンツ情報とを合成して、合成文書１０９を生成する。即ち、第２文書１０３より抽出したコンテンツ情報を、第１文書１０１より抽出したテンプレート情報に基づいて自動レイアウトする。具体的には、タイトル２領域の内容をタイトル１領域にレイアウトし、本文２領域の内容を本文１領域にレイアウトし、写真２領域の内容を写真１領域にレイアウトする。
【００３７】
従って、合成文書１０９を、文字、図版等の領域に分割し、各領域の配置を示した画像１１１は、内容がタイトル２であるタイトル１領域、内容が本文２である本文１領域、及び、内容が写真２である写真１領域を配置した画像となる。
次に、文書編集システムの各機能を１つの装置に備えた文書編集装置を例に挙げて、本発明の文書編集システムを説明する。
【００３８】
図２は、本発明の文書編集装置の概略図の一例である。
本発明の文書編集装置１３０は、自動給紙部１４１、スキャナ部１４３、本体部１４５、第１の排紙部１４７及び第２の排紙部１４９から構成されている。文書編集装置１３０は、図２に示すように、テンプレート情報及びコンテンツ情報の少なくとも１つの情報を取得するための文書が記録された用紙を自動給紙部１４１に配置して自動的に取り込み、スキャナ部１４３により取り込んだ用紙に記録された文書の画像情報を読み取る。本体部１４５において、読み取った画像情報よりテンプレート情報及びコンテンツ情報の少なくとも１つの情報を取得し、取得した情報、又は既に取得した情報に基づいて、新規の文書（以下、「合成文書」という）を生成する。また、生成した合成文書を記録した用紙を第１の排紙部１４７から排出し、自動給紙部１４１より取り込んだ用紙を第２の排紙部１４９から排出する。
【００３９】
図３は、文書編集装置１３０の機能ブロック図の一例である。
図３に示すように、文書編集装置１３０は、画像情報取得部２０１、抽出モード設定部２０３、抽出ルール設定部２０５、テンプレート情報抽出部２０７、コンテンツ情報抽出部２０９、テンプレート情報格納部２１１、コンテンツ情報格納部２１３、テンプレート情報取得部２１５、コンテンツ情報取得部２１７、文書合成部２１９、合成文書出力部２２１、印刷部２２３、テンプレート情報記憶部２３１及びコンテンツ情報記憶部２３３を備えている。
【００４０】
画像情報取得部２０１は、自動給紙部１４１を利用して、テンプレート情報及びコンテンツ情報の少なくとも１つの情報を取得するための文書が記録されている用紙を取り込み、スキャナ部１４３を利用して、取り込んだ用紙を走査して、用紙に記録されている文書の画像情報を取得する。
抽出モード設定部２０３は、画像情報取得部２０１によって取得した画像情報からテンプレート情報を抽出するモード、画像情報からコンテンツ情報を抽出するモード、及び、画像情報からテンプレート情報及びコンテンツ情報を抽出するモードの中のいずれか１つのモードを設定する。即ち、画像情報取得部２０１によって取得した画像情報から抽出する情報を決める。
【００４１】
図４及び図５を参照して、抽出モードの設定を説明する。
図４は、操作パネルの概略図の一例である。
図５は、抽出モード設定操作を説明するための図である。
図４に示すように、操作パネルには、画像情報取得部２０１によって取得した画像情報からテンプレート情報を抽出することを設定する「テンプレートスキャン」ボタンと、コンテンツ情報を抽出する「コンテンツスキャン」ボタンとが設けられている。また、「スタート」ボタンが設けられており、テンプレート情報及びコンテンツ情報の中の少なくとも１つの情報を抽出する処理を開始するときに利用する。この他、後述するテンプレート情報及びコンテンツ情報の選択のためのボタンである「テンプレート選択」ボタン及び「コンテンツ選択」ボタンが設けられている。
【００４２】
画像情報からテンプレート情報を抽出するモードを設定する場合は、図５に示すように、操作パネルの「テンプレートスキャン」ボタンを押して点灯させた後、「スタート」ボタンを押すことにより、テンプレート情報の抽出が開始される。即ち、「スタート」ボタンを押すことにより、画像情報取得部２０１は、自動給紙部１４１を利用して文書が記録されている用紙を取り込む。
【００４３】
また、画像情報からコンテンツ情報を抽出するモードを設定する場合も同様に、「コンテンツスキャン」ボタンを押して点灯させた後、「スタート」ボタンを押すことにより、コンテンツ情報の抽出が開始される。また、画像情報からテンプレート情報及びコンテンツ情報を抽出するモードを設定する場合は、「テンプレートスキャン」ボタン及び「コンテンツスキャン」ボタンの両方を押して、両方のボタンを点灯させた後、「スタート」ボタンを押すことにより、テンプレート情報及びコンテンツ情報の抽出が開始される。ここで、「テンプレートスキャン」ボタン及び「コンテンツスキャン」ボタンを押す順番は、どちらが先であっても良い。
【００４４】
図３に戻り、抽出ルール設定部２０５は、画像情報取得部２０１によって取得した画像情報より、テンプレート情報及びコンテンツ情報の少なくとも１つを抽出するための抽出ルールを設定する。例えば、抽出ルールとして、複数の文書の画像情報を取得するとき、図５に説明したように操作パネルを利用して、「テンプレートスキャン」ボタン及び「コンテンツスキャン」ボタンのいずれか１つのボタンを押さずに「スタート」ボタンを押した場合は、文書ごとに、テンプレート情報の抽出とコンテンツ情報の抽出とを交互に実行するルールを設定する。
【００４５】
テンプレート情報抽出部２０７は、抽出モード設定部２０３によって設定された抽出モードに基づいて、又は抽出ルール設定部２０５によって設定された抽出ルールに基づいて、画像情報取得部２０１によって取得した画像情報からテンプレート情報を抽出する。ここで、テンプレート情報は、画像情報を文字、図版等の領域に分割して検出し、検出されたそれらの各領域の配置を示す情報を取得することによって、抽出される。
【００４６】
図６は、テンプレート情報の抽出処理を説明するための図である。
図６（ａ）に示すような文書Ａから文字領域と図版領域とを区別して抽出する。抽出された文書Ａの文字領域及び図版領域の配置は、図６（ｂ）に示すように、画像Ａによって表される。即ち、画像Ａには、文字領域Ａ−１、文字領域Ａ−２及び図版領域Ａ−１が配置されている。このように文字領域と図版領域の配置を示す情報をテンプレート情報として抽出する。また、抽出されたテンプレート情報は後述のテンプレート情報格納部２１１によってテンプレート情報記憶部２３１に格納される。
【００４７】
図３に戻り、コンテンツ情報抽出部２０９は、抽出モード設定部２０３によって設定された抽出モードに基づいて、又は抽出ルール設定部２０５によって設定された抽出ルールに基づいて、画像情報取得部２０１によって取得した画像情報からコンテンツ情報を抽出する。ここで、コンテンツ情報は、画像情報を文字、図版等の領域に分割して検出し、検出されたそれらの各領域の内容を取得し、各領域と各領域の内容とを対応付けた情報を取得することによって、抽出される。
【００４８】
図７は、コンテンツ情報の抽出処理を説明するための図である。
図７（ａ）に示すような文書Ｂから文字領域と図版領域とを区別して抽出する。抽出された文書Ｂの文字領域及び図版領域の配置は、図７（ｂ）に示すように、画像Ｂによって表される。即ち、画像Ｂには、文字領域Ｂ−１、文字領域Ｂ−２及び図版領域Ｂ−１が配置されている。また、画像Ｂの各領域とその領域の内容とは、図７（ｃ）に示すように対応付けられる。このような、文字領域及び図版領域の各領域とその領域の内容とを対応付けた情報をコンテンツ情報として抽出する。また、抽出されたコンテンツ情報は後述のコンテンツ情報格納部２１３によってコンテンツ情報記憶部２３３に格納される。
【００４９】
図３に戻り、テンプレート情報格納部２１１は、テンプレート情報抽出部２０７によって抽出したテンプレート情報をテンプレート情報記憶部２３１に格納する。また、テンプレート情報抽出部２０７によって抽出したテンプレート情報を後述のテンプレート情報取得部２１５に渡す。
コンテンツ情報格納部２１３は、コンテンツ情報抽出部２０９によって抽出したコンテンツ情報をコンテンツ情報記憶部２３３に格納する。また、コンテンツ情報抽出部２０９によって抽出したコンテンツ情報を後述のコンテンツ情報取得部２１７に渡す。
【００５０】
テンプレート情報取得部２１５は、テンプレート情報記憶部２３１に格納されている複数のテンプレート情報の中から合成文書の生成に利用するテンプレート情報を取得、もしくはテンプレート情報格納部２１１から渡されたテンプレート情報を直接取得する。
コンテンツ情報取得部２１７は、コンテンツ情報記憶部２３３に格納されている複数のコンテンツ情報の中から合成文書の生成に利用するコンテンツ情報を取得、もしくはコンテンツ情報格納部２１３から渡されたコンテンツ情報を直接取得する。
【００５１】
ここでは、ユーザによって選択されたテンプレート情報及びコンテンツ情報を合成文書の生成に利用する情報であるとしてそれぞれ取得する。
図４、図８及び図９を参照して、ユーザによるテンプレート情報及びコンテンツ情報の選択を説明する。
図４に示したように、操作パネルには、テンプレート情報を選択するための「テンプレート選択」ボタンと、コンテンツ情報を選択するための「コンテンツ選択」ボタンとが設けられている。
【００５２】
図８は、テンプレート情報及びコンテンツ情報の選択を説明するための図である。
テンプレート情報を選択する場合は、図８に示すように、操作パネルの「テンプレート選択」ボタンを押して、テンプレート情報の選択操作を開始する。テンプレート情報の選択が完了すると、合成文書の生成に利用するテンプレート情報が確定している状態であることをユーザに知らせるために、「テンプレート選択」ボタンを点灯させる。
【００５３】
コンテンツ情報を選択する場合も同様に、「コンテンツ選択」ボタンを押して、コンテンツ情報の選択操作を開始し、コンテンツ情報の選択が完了すると、「コンテンツ選択」ボタンを点灯させる。
「テンプレート選択」ボタン及び「コンテンツ選択」ボタンの点灯させた後、テンプレート情報とコンテンツ情報とを合成することが可能な状態であることを、即ち、合成処理を開始可能な状態であることをユーザに知らせるため、「スタート」ボタンを点滅させる。ユーザによって、点滅している「スタート」ボタンが押されると、確定されているテンプレート情報とコンテンツ情報との合成処理を開始する。
【００５４】
図９は、テンプレート情報及びコンテンツ情報の選択処理のフローチャートである。
図９に示すように、まず、ユーザによって選択された選択対象を受け付ける（Ｓ１０２）。即ち、操作パネルより、「テンプレート選択」ボタン又は「コンテンツ選択」ボタンのどちらかをユーザに押してもらい、押されたボタンの情報を入力する。次に、ユーザによって選択された選択対象がテンプレート情報であるか否かを判定する（Ｓ１０４）。
【００５５】
ユーザの選択した選択対象がテンプレート情報である場合（Ｓ１０４；Ｙｅｓ）は、即ち、ユーザによって「テンプレート選択」ボタンが押された場合、テンプレート情報記憶部２３１に格納されているテンプレート情報の一覧を、表示装置等に表示する（Ｓ１０６）。
図１０は、テンプレート情報を示す画像の一覧を表す図である。
【００５６】
図１０に示すように、テンプレート情報記憶部２３１に格納されているテンプレート情報を表す画像の一覧を表示し、合成文書に利用するテンプレート情報を示す画像をユーザに選択させる。ここで、テンプレート情報記憶部２３１に格納されているテンプレート情報は４個であり、各テンプレート情報を表した画像を画像Ｃ、画像Ｄ、画像Ｅ及び画像Ｆとする。
【００５７】
次に、図９に戻り、表示されたテンプレート情報の一覧の中から、ユーザによって選択されたテンプレート情報を受け付け（Ｓ１０８）、受け付けたテンプレート情報を、合成文書の生成に利用するテンプレート情報として確定する（Ｓ１１０）。次に、合成文書の生成に利用するテンプレート情報が確定している状態であることをユーザに知らせるために、「テンプレート選択」ボタンを点灯させ（Ｓ１１２）、次のステップＳ１２２へ移行する。
【００５８】
ユーザの選択した選択対象がコンテンツ情報である場合（Ｓ１０４；Ｎｏ）は、即ち、ユーザによって「コンテンツ選択」ボタンが押された場合、コンテンツ情報記憶部２３３に格納されているコンテンツ情報の一覧を表示する（Ｓ１１４）。次に、表示されたコンテンツ情報の一覧の中から、ユーザによって選択されたコンテンツ情報を受け付け（Ｓ１１６）、受け付けたコンテンツ情報を、合成文書の生成に利用するコンテンツ情報として確定する（Ｓ１１８）。次に、合成文書の生成に利用するコンテンツ情報が確定している状態であることをユーザに知らせるために、「コンテンツ選択」ボタンを点灯させ（Ｓ１２０）、次のステップＳ１２２へ移行する。
【００５９】
次に、合成文書の生成に利用するテンプレート情報及びコンテンツ情報が確定しているか否かを判定し（Ｓ１２２）、合成文書の生成に利用するテンプレート情報及びコンテンツ情報が確定している場合（Ｓ１２４；Ｙｅｓ）は、合成処理を開始可能な状態であることをユーザに知らせるため、「スタート」ボタンを点滅させて（Ｓ１２４）、処理を終了する。一方、合成文書の生成に利用するテンプレート情報及びコンテンツ情報が確定していない場合（Ｓ１２４；Ｎｏ）は、ステップＳ１０２へ戻り、合成文書の生成に利用するテンプレート情報及びコンテンツ情報が確定するまで、ステップＳ１０２からＳ１２２を繰り返す。
【００６０】
図３に戻り、文書合成部２１９は、テンプレート情報取得部２１５によって取得したテンプレート情報、及びコンテンツ情報取得部２１７によって取得したコンテンツ情報に基づいて、合成文書を生成する。
図１１は、テンプレート情報に基づいてコンテンツ情報をレイアウトする処理を説明する図である。ここでは、図１０に示した画像Ｆによって表されるテンプレート情報と、図７（ｃ）に示した文書Ｂのコンテンツ情報とを合成した合成文書の生成について説明する。
【００６１】
図１１（ａ）に示すように、画像Ｆに表されるような各領域の配置に文書Ｂのコンテンツ情報をレイアウトする。即ち、文字領域Ｆ−１に文字領域Ｂ−１の内容をレイアウトし、文字領域Ｆ−２に文字領域Ｂ−２の内容をレイアウトし、図版領域Ｆ−１に図版領域Ｂ−１の内容をレイアウトする。このとき、図版の大きさ、文字の大きさ、文字の改行、ページへの収まり等が自動的に判断され、合成文書が生成される。
【００６２】
図１１（ｂ）に示すように、画像Ｆに表されるテンプレート情報に基づいて、文書Ｂのコンテンツ情報をレイアウトすることにより、文書Ｆ’が生成される。即ち、既存の文書Ｂから見た目の異なる新規の文書Ｆ’が生成される。
図３に戻り、合成文書出力部２２１は、文書合成部２１９によって生成された合成文書の画像情報を出力する。例えば、ネットワークを介して生成した成文書の画像情報を出力する。
【００６３】
印刷部２２３は、合成文書出力部２２１によって出力された合成文書の画像情報を利用した印刷を実行し、文書が印刷された用紙を第１の排紙部１４７から排出する。
ここで、文書編集装置１３０は、図示されていないが、制御プログラムに基づいて演算及び装置全体を制御するＣＰＵと、所定領域にあらかじめＣＰＵの制御プログラム等を格納しているＲＯＭと、ＲＯＭ等から読み出された情報やＣＰＵの演算過程において必要な演算結果を格納するためのＲＡＭと、外部装置に対して情報の入出力を媒介するインタフェースを備えている。また、ＣＰＵ、ＲＯＭ、ＲＡＭ及びインタフェースは、情報を転送するための信号線であるバスにより相互にかつ情報授受可能に接続されている。
【００６４】
また、インタフェースには、外部装置として、ヒューマンインタフェースとしてデータの入力が可能な入力装置、データやテーブル等をファイルとして格納する記憶装置、画像信号に基づいて画面を表示する表示装置等が接続されており、テンプレート情報記憶部２３１及びコンテンツ情報記憶部２３３は、記憶装置の一部である。
また、ＣＰＵは、マイクロプロセッシングユニット（ＭＰＵ）等からなり、ＲＯＭの所定領域に格納されている所定のプログラムを起動させ、そのプログラムに従って、既存文書のコンテンツ情報とテンプレート情報とを取得して合成し、新規の文書を生成する文書編集処理を、時分割で実行するようになっている。
【００６５】
また、文書編集処理は、画像情報取得部２０１、抽出モード設定部２０３、抽出ルール設定部２０５、テンプレート情報抽出部２０７、コンテンツ情報抽出部２０９、テンプレート情報格納部２１１、コンテンツ情報格納部２１３、テンプレート情報取得部２１５、コンテンツ情報取得部２１７、文書合成部２１９、合成文書出力部２２１及び印刷部２２３として、実現される処理であって、ＣＰＵにおいて実行される。
【００６６】
上述したように、文書編集装置１３０に、画像情報取得部２０１、抽出モード設定部２０３、抽出ルール設定部２０５、テンプレート情報抽出部２０７、コンテンツ情報抽出部２０９、テンプレート情報格納部２１１、コンテンツ情報格納部２１３、テンプレート情報取得部２１５、コンテンツ情報取得部２１７、文書合成部２１９、合成文書出力部２２１、印刷部２２３、テンプレート情報記憶部２３１及びコンテンツ情報記憶部２３３を備えることによって、既存文書の優れたデザイン、内容等を再利用した新規の文書を比較的容易に生成することが可能である。即ち、ユーザが再利用したい既存の文書のテンプレート情報と、ユーザが再利用したい既存の文書のコンテンツ情報とを比較的容易に合成しすることが可能である。また、比較的簡単なユーザの操作により、既存文書の優れたデザイン、内容等を再利用した新規の文書を生成することが可能である。
【００６７】
上述の実施の形態においては、文書編集システムの各機能を１つの装置に備えた文書編集装置１３０を例に挙げて、本発明の文書編集システムを説明するが、複数の装置，端末その他の機器を通信可能に接続したネットワークシステムとして実現するようにしても良い。ここで、文書編集システムの各機能は、それぞれ通信可能に接続された複数の機器等のいずれにおいて機能されていても良い。
【００６８】
また、上述の実施の形態において、本発明の文書編集装置１３０を、例えば、複合機、コピー機等の１つの機能として実現することも可能である。
また、上述の実施の形態においては、テンプレート情報を抽出する場合、「テンプレートスキャン」ボタンを押した後「スタート」ボタンを押すことにより、文書を取り込むようになっているが、「テンプレートスキャン」ボタンを押すだけで文書を取り込むようにしても良い。コンテンツ情報を抽出する場合も同様である。
【００６９】
上述の実施の形態においては、テンプレート情報及びコンテンツ情報をユーザが選択するとき、表示装置を利用して、それぞれの情報を一覧にして表示し、ユーザに選択させるようにしているが、テンプレート情報及びコンテンツ情報を印刷したインデックスシートに基づいて、操作パネルから選択したいテンプレート情報及びコンテンツ情報の番号を入力するようにしても良い。
【００７０】
また、上述の実施の形態においては、図１０に示したようなテンプレート情報の一覧表示を、テンプレート情報記憶部２３１に格納されている順番に表示しているが、所定の優先順位に基づいて、優先順位の順番に表示するようにしても良い。
また、上述の実施の形態においては、テンプレート情報によって示される文字領域及び図版領域に、コンテンツ情報によって示される文字領域の内容及び図版領域の内容をレイアウトするようになっているが、ユーザによって指定された内容（例えば、特殊な色のペンによってマークされた文字等）を、レイアウトするようにしても良い。また、テンプレート情報によって示される文字領域及び図版領域と、コンテンツ情報によって示される文字領域の内容及び図版領域の内容とを、ユーザに対応付けさせるような機能を備え、ユーザによって対応付けられた情報に基づいて合成文書を作成するようにしても良い。
【００７１】
また、上述の実施の形態においては、テンプレート情報記憶部２３１に格納されている全てのテンプレート情報を、各テンプレート情報を表す画像として一覧表示し、ユーザに合成文書の生成に利用するテンプレート情報を選択させるようにしているが、合成文書の生成に利用するコンテンツ情報に基づいて、適当なテンプレート情報をテンプレート情報記憶部２３１に格納されている全てのテンプレート情報の中から検索し、検索したテンプレート情報を表す画像を表示するようにすることも可能である。更に、表示した画像に中から適当なテンプレート情報を表す画像を、ユーザに選択させるようにしても良い。
【００７２】
例えば、図１０に示したように、画像Ｃ、画像Ｅ及び画像Ｆにおいては、２個の文字領域と１個の図版領域が配置されている。また、画像Ｄにおいては、２個の文字領域と２個の図版領域が配置されている。一方、文書Ｂのコンテンツ情報は、２個の文字領域に対応付けられる内容と、１個の図版領域に対応付けられる内容とである。従って、画像Ｄによって表されるテンプレート情報に基づいて、文書Ｂのコンテンツ情報をレイアウトすることは適当ではない。そこで、適当であると判断されたテンプレート情報を表す画像Ｃ、画像Ｅ及び画像Ｆのみを表示する。
【００７３】
また、適当であると判断されたテンプレート情報に基づいて、コンテンツ情報をレイアウトした画像を、図示されていない表示装置を介して、プレビュー表示するようにし、更に、表示されているプレビュー画像の中から適当な合成文書のプレビュー画像をユーザに選択させるようにすることも可能である。
図１２は、合成文書のプレビュー表示を示す図である。
【００７４】
図１２に示すように、文書Ｂのコンテンツ情報に基づいて適当であると判断したテンプレート情報に基づいて、文書Ｂのコンテンツ情報をレイアウトした合成文書のプレビュー画像Ｃ”、Ｅ”及びＦ”が表示される。表示されたプレビュー画像の中から最も適当である合成文書のプレビュー画像をユーザに選択させる。例えば、プレビュー画像Ｆ”をユーザが選択したとき、図１１に示したような文書Ｆ’が生成される。
【００７５】
上述の判定では、文字領域の個数と図版領域の個数とによって、コンテンツ情報をレイアウトするのに適当であるか否かを判定したが、更に、文字領域及び図版領域の面積、位置等に基づいて判定することも可能である。また、文字領域及び図版領域の２つの領域に分割するだけでなく、もっと細かな領域（例えば、写真領域、イラスト領域、表領域、タイトル領域、本文領域等）に分割することも可能である。
【００７６】
また、上述の実施の形態においては、図１に示したように、文書編集装置１３０は、自動給紙部１４１は１個しか備えられていなかったが、テンプレート情報を抽出する画像情報が記録されている用紙を取り込む第１の自動給紙部と、コンテンツ情報を抽出する画像情報が記録されている用紙を取り込む第２の自動給紙部とを備えるようにしても良い。
図１３は、２個の自動給紙部を備えた文書編集装置の概略図の一例である。
【００７７】
図１３に示すように、文書編集装置１６０には、テンプレート情報を抽出するための文書が記録されている用紙を取り込むための第１の自動給紙部１７１と、コンテンツ情報を抽出するための文書が記録されている用紙を取り込むための第２の自動給紙部１７３とが備えられている。
また、上述の実施の形態においては、スキャナ部１４３を利用して文書の画像情報を取得しているが、文書の画像情報を保存管理している既存の電子ファイリングシステム等から、ネットワークを介して、画像情報を入力することも可能である。また、文書の画像情報が記憶されている情報記憶媒体から画像情報を入力することも可能である。
【００７８】
また、上述の実施の形態の文書編集装置１３０において、画像情報取得部２０１は、発明１から１５の画像情報取得手段と、発明１６の画像情報取得工程に対応している。また、自動給紙部１４１は、発明３の自動取り込み手段に対応し、スキャナ部１４３は、発明２の画像情報読み取り手段に対応している。また、抽出モード設定部２０３は、発明６の抽出モード設定手段に対応し、抽出ルール設定部２０５は、発明７の抽出ルール設定手段に対応する。また、テンプレート情報抽出部２０７は、発明１から１５のテンプレート情報抽出手段と、発明１６のテンプレート情報抽出工程に対応し、コンテンツ情報抽出部２０９は、発明１から１５のコンテンツ情報抽出手段と、発明１６のコンテンツ情報抽出工程に対応する。また、テンプレート情報格納部２１１は、発明８から１０のテンプレート情報格納手段に対応し、コンテンツ情報格納部２１３は、発明１１から１３のコンテンツ情報格納手段に対応する。また、テンプレート情報取得部２１５は、発明８から１０のテンプレート情報取得手段に対応し、コンテンツ情報取得部２１７は、発明１１から１３のコンテンツ情報取得手段に対応する。また、文書合成部２１９は、発明１から１５の文書合成手段と、発明１６の文書合成工程に対応し、合成文書出力部２２１は、発明１から１５の合成文書出力手段と、発明１６の合成文書出力工程に対応し、印刷部２２３は、発明１４の印刷手段に対応する。また、テンプレート情報記憶部２３１は、発明８から１０の記憶部に対応し、コンテンツ情報記憶部２３３は、発明１１から１３の記憶部に対応する。
【００７９】
また、上述した図９のフローチャートに示す処理を実行する場合に、文書編集装置１３０のＲＯＭに予め格納されている制御プログラムを実行する場合について説明したが、これらの各工程を実行させるプログラムを記憶した情報記憶媒体から、そのプログラムをＲＡＭに読み込んで実行するようにしても良い。
ここで、情報記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学等の読み取り方法のいかんにかかわらず、コンピュータによって読み取り可能な情報記憶媒体であれば、あらゆる情報記憶媒体を含むものである。また、プログラムを、ネットワークを経由してダウンロードして実行するようにしても良い。
【００８０】
なお、上述の実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【図面の簡単な説明】
【００８１】
【図１】本発明の文書編集処理の概念図。
【図２】本発明の文書編集装置の概略図。
【図３】文書編集装置１３０の機能ブロック図。
【図４】操作パネルの概略図。
【図５】抽出モード設定操作を説明するための図。
【図６】テンプレート情報の抽出処理を説明するための図。
【図７】コンテンツ情報の抽出処理を説明するための図。
【図８】テンプレート情報及びコンテンツ情報の選択を説明するための図。
【図９】テンプレート情報及びコンテンツ情報の選択処理のフローチャート。
【図１０】テンプレート情報を示す画像の一覧を表す図。
【図１１】テンプレート情報に基づいてコンテンツ情報をレイアウトする処理を説明する図。
【図１２】合成文書のプレビュー表示を示す図。
【図１３】２個の自動給紙部を備えた文書編集装置の概略図。
【符号の説明】
【００８２】
１０１…第１文書、  １０３…第２文書、  １０５…画像、  １０７…画像、１０９…合成文書、１３０…文書編集装置、１４１…自動給紙部、  １４３…スキャナ部、  １４５…本体部、  １４７…第１の排紙部、１４９…第２の排紙部、１６０…文書編集装置、１７１…第１の自動給紙部、  １７３…第２の自動給紙部、  ２０１…画像情報取得部、  ２０３…抽出モード設定部、  ２０５…抽出ルール設定部、  ２０７…テンプレート情報抽出部、  ２０９…コンテンツ情報抽出部、  ２１１…テンプレート情報格納部、  ２１３…テンプレート情報取得部、  ２１５…コンテンツ情報格納部、  ２１７…コンテンツ情報取得部、  ２１９…文書合成部、  ２２１…合成文書出力部、  ２２３…印刷部、  ２３１…テンプレート情報記憶部２３１、  ２３３…コンテンツ情報記憶部
【図１】
2005128925.tif 000003
【図２】
2005128925.tif 000004
【図３】
2005128925.tif 000005
【図４】
2005128925.tif 000006
【図５】
2005128925.tif 000007
【図６】
2005128925.tif 000008
【図７】
2005128925.tif 000009
【図８】
2005128925.tif 000010
【図９】
2005128925.tif 000011
【図１０】
2005128925.tif 000012
【図１１】
2005128925.tif 000013
【図１２】
2005128925.tif 000014
【図１３】
2005128925.tif 000015